【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】  所定の通信媒体を介して複数の周辺機器と通信可能なデータ処理装置であって、
前記複数の周辺機器の構成情報を取得する取得手段と、
前記複数の周辺機器の状態を表示する周辺機器リスト中の各周辺機器別アイコンと移動指示可能なカーソルとの重なり状態を判別する判別手段と、
前記取得手段により取得された周辺機器の構成情報の現在の設定値を認識する設定値認識手段と、
前記判別手段によりいずれかの周辺機器別のアイコンに前記カーソルが重なっていると判別した場合に、当該カーソルが重なっていると判別された周辺機器のアイコンの近傍に、前記設定値認識手段により認識される現在の設定値を識別可能にキャプション表示させる制御手段と、を有することを特徴とするデータ処理装置。
【請求項２】  前記取得手段は、所定のタイミングで前記周辺機器から双方向通信により前記構成情報を取得することを特徴とする請求項１記載のデータ処理装置。
【請求項３】  前記取得手段は、所定のタイミングで前記周辺機器を制御するドライバから前記構成情報を取得することを特徴とする請求項１記載のデータ処理装置。
【請求項４】  前記判別手段は、ドラッグ処理されている文書ファイルアイコンと前記周辺機器のアイコンとの重なり状態を判別することを特徴とする請求項１乃至３のいずれか１項に記載のデータ処理装置。
【請求項５】  文書ファイルを周辺機器別のアイコンに重ねてドラッグアンドドロップすることにより、該文書ファイルを印刷指示する印刷指示手段を更に有することを特徴とする請求項１乃至４のいずれか１項に記載のデータ処理装置。
【請求項６】  所定の通信媒体を介して複数の周辺機器と通信可能なデータ処理装置のデータ処理方法であって、
前記複数の周辺機器の構成情報を取得する取得工程と、
前記複数の周辺機器の状態を表示する周辺機器リスト中の各周辺機器別アイコンと移動指示可能なカーソルとの重なり状態を判別する判別工程と、
前記取得工程で取得された周辺機器の構成情報の現在の設定値を認識する設定値認識工程と、
前記判別工程によりいずれかの周辺機器別のアイコンに前記カーソルが重なっていると判別した場合に、当該カーソルが重なっていると判別された周辺機器のアイコンの近傍に、前記設定値認識手段により認識される現在の設定値を識別可能にキャプション表示させる表示工程と、
を有することを特徴とするデータ処理方法。
【請求項７】  前記取得工程は、所定のタイミングで前記周辺機器から双方向通信により前記構成情報を取得することを特徴とする請求項６記載のデータ処理方法。
【請求項８】  前記取得工程は、所定のタイミングで前記周辺機器を制御するドライバから前記構成情報を取得することを特徴とする請求項６記載のデータ処理方法。
【請求項９】  前記判別工程は、ドラッグ処理されている文書ファイルアイコンと前記周辺機器のアイコンとの重なり状態を判別することを特徴とする請求項６乃至８のいずれか１項に記載のデータ処理方法。
【請求項１０】  文書ファイルを周辺機器別のアイコンに重ねてドラッグアンドドロップすることにより、該文書ファイルを印刷指示する印刷指示工程を更に含むことを特徴とする請求項６乃至９のいずれか１項に記載のデータ処理方法。
【請求項１１】  所定の通信媒体を介して複数の周辺機器と通信可能なデータ処理装置を制御するコンピュータが読み出し可能なプログラムを格納した記憶媒体であって、
前記複数の周辺機器の構成情報を取得する取得工程と、
前記複数の周辺機器の状態を表示する周辺機器リスト中の各周辺機器別アイコンと移動指示可能なカーソルとの重なり状態を判別する判別工程と、
前記取得工程で取得された周辺機器の構成情報の現在の設定値を認識する設定値認識工程と、
前記判別工程によりいずれかの周辺機器別のアイコンに前記カーソルが重なっていると判別した場合に、当該カーソルが重なっていると判別された周辺機器のアイコンの近傍に、前記設定値認識手段により認識される現在の設定値を識別可能にキャプション表示させる表示工程と、
を有することを特徴とするコンピュータが読み出し可能なプログラムが格納された記憶媒体。
【請求項１２】  前記取得工程は、所定のタイミングで前記周辺機器から双方向通信により前記構成情報を取得することを特徴とする請求項１１記載の記憶媒体。
【請求項１３】  前記取得工程は、所定のタイミングで前記周辺機器を制御するドライバから前記構成情報を取得することを特徴とする請求項１１記載の記憶媒体。
【請求項１４】  前記判別工程は、ドラッグ処理されている文書ファイルアイコンと前記周辺機器のアイコンとの重なり状態を判別することを特徴とする請求項１１乃至１３のいずれか１項に記載の記憶媒体。
【請求項１５】  文書ファイルを周辺機器別のアイコンに重ねてドラッグアンドドロップすることにより、該文書ファイルを印刷指示する印刷指示工程を更に含むことを特徴とする請求項１１乃至１４のいずれか１項に記載の記憶媒体。
【手続補正２】
【補正対象書類名】明細書
【補正対象項目名】０００３
【補正方法】変更
【補正の内容】
【０００３】
また、複数の設定が可能な構成情報の設定可能な値を参照する場合にも、プロパティダイアログボックス上で目的とする構成情報を選択して、設定可能な値を参照しなければならなかった。
【手続補正３】
【補正対象書類名】明細書
【補正対象項目名】０００８
【補正方法】変更
【補正の内容】
【０００８】
【課題を解決するための手段】
上記課題を解決するために、本発明は、所定の通信媒体を介して複数の周辺機器と通信可能なデータ処理装置であって、前記複数の周辺機器の構成情報を取得する取得手段と、前記複数の周辺機器の状態を表示する周辺機器リスト中の各周辺機器別アイコンと移動指示可能なカーソルとの重なり状態を判別する判別手段と、前記取得手段により取得された周辺機器の構成情報の現在の設定値を認識する設定値認識手段と、前記判別手段によりいずれかの周辺機器別のアイコンに前記カーソルが重なっていると判別した場合に、当該カーソルが重なっていると判別された周辺機器のアイコンの近傍に、前記設定値認識手段により認識される現在の設定値を識別可能にキャプション表示させる制御手段とを有する。
【手続補正４】
【補正対象書類名】明細書
【補正対象項目名】００１１
【補正方法】変更
【補正の内容】
【００１１】
また、前記判別手段は、ドラッグ処理されている文書ファイルアイコンと前記周辺機器のアイコンとの重なり状態を判別するものである。
【手続補正５】
【補正対象書類名】明細書
【補正対象項目名】００１２
【補正方法】変更
【補正の内容】
【００１２】
また、文書ファイルを周辺機器別のアイコンに重ねてドラッグアンドドロップすることにより、該文書ファイルを印刷指示する印刷指示手段を更に有するものである。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
また、本発明のその他の発明は、上記装置を実現するための方法およびコンピュータ読み出し可能なプログラムが格納された記憶媒体である。
【手続補正１０】
【補正対象書類名】明細書
【補正対象項目名】００４３
【補正方法】変更
【補正の内容】
【００４３】
図７に示すように、文書ファイルアイコンをドラッグしてカーソルをプリンタアイコン上に位置させても同様である。
【手続補正１１】
【補正対象書類名】明細書
【補正対象項目名】００７０
【補正方法】削除
【補正の内容】
【手続補正１２】
【補正対象書類名】明細書
【補正対象項目名】００７１
【補正方法】削除
【補正の内容】
【手続補正１３】
【補正対象書類名】明細書
【補正対象項目名】００７２
【補正方法】削除
【補正の内容】
【手続補正１４】
【補正対象書類名】明細書
【補正対象項目名】００７３
【補正方法】削除
【補正の内容】